(57)【要約】  それぞれ少なくとも１つの第１もしくは第２の溝（１２，１４）を有する２つの第１及び第２の異形材ロッド（１６，１８）を固定する固定システム（１０）であって、固定体（２０）を有していて、該固定体（２０）は、嵌合キー状に第１及び第２の突出部（３０，３２）を有していて、該第１及び第２の突出部（３０，３２）は組立て状態において第１及び第２の溝開口（３４，３６）に進入し、前記突出部（３０，３２）はそれぞれ、第２のボルト穴を備えていて、該ボルト穴は口状に各１つの溝開口（３４，３６）に進入しており、第１及び第２のハンマヘッドはそれぞれ、旋回運動を加える自由形状ヘッドであり、第１及び第２のシャフトが組立て状態において部分的に溝開口（３４，３６）の内部に位置していて、各ハンマヘッドボルト（２２，２４）は、ハンマヘッドとシャフトとの間に移行部に、互いにほぼ対角線方向に配置された第１及び第２の突起（５４，５６）を有していて、該第１及び第２の突起は、組立て状態において、前記口状のボルト穴（３８，４０）に回動を制限するように接触している。
2015529310.tif 000002
【特許請求の範囲】
【請求項１】
それぞれ少なくとも１つの第１もしくは第２の溝（１２，１４）を有する２つの第１及び第２の異形材ロッド（１６，１８）を、互いに予め設定可能な角度で固定する固定システム（１０）であって、
固定体（２０）を有していて、該固定体（２０）は組立て状態において、第１及び第２の溝（１２，１４）に挿入された第１及び第２のハンマヘッドボルト（２２，２４）及び第１及び第２のナット（２６，２８）を用いて、第１及び第２の異形材ロッド（１６，１８）に取り付けられている、固定システム（１０）において、
前記固定体（２０）は、嵌合キー状に第１及び第２の突出部（３０，３２）を有していて、該第１及び第２の突出部（３０，３２）は組立て状態において第１及び第２の溝開口（３４，３６）に進入し、前記突出部（３０，３２）はそれぞれ、少なくとも１つの第１及び第２のボルト穴（３８，４０）を備えていて、該ボルト穴（３８，４０）は人の口のように各１つの溝開口（３４，３６）に進入しており、
第１及び第２のハンマヘッド（４２，４４）はそれぞれ、旋回運動を生ぜしめる自由形状ヘッドであり、該自由形状ヘッドは、組立て時に上から軽く押圧されて、単にそれぞれ、互いに離れて位置する２つの第１及び第２の溝側面点（４６，４８）に接触し、かつこれによって自動的に溝長手方向に方向付けられ、次いで前記溝（１２，１４）内に進入し、このとき前記ハンマヘッド（４２，４４）の表面の傾斜部が、前記溝側面点（４６，４８）においてねじ込みモーメントを生ぜしめ、
第１及び第２のシャフト（５０，５２）が組立て状態において部分的に前記溝開口（３４，３６）の内部に位置していて、各ハンマヘッドボルト（２２，２４）は、前記ハンマヘッド（４２，４４）と前記シャフト（５０，５２）との間に移行部に、互いにほぼ対角線方向に配置された第１及び第２の突起（５４，５６）を有していて、該第１及び第２の突起（５４，５６）は、組立て状態において、前記口状のボルト穴（３８，４０）に回動を制限するように接触している
ことを特徴とする固定システム（１０）。
【請求項２】
前記口状のボルト穴（３８，４０）はその長い方の開口が、前記突出部（３０，３２）の長手方向に延びている、請求項１記載の固定システム（１０）。
【請求項３】
前記長い方の開口は、前記ボルト穴（３８，４０）の中心を中心にした前記突起（５４，５６）の回動を、突出部長手方向軸線の両側において、２２°〜２３°の範囲に、好ましくは２２.５°に制限する、請求項２記載の固定システム（１０）。
【請求項４】
前記口状のボルト穴（３８，４０）は、２つの同心的な円弧によって制限される、請求項１から３までのいずれか１項記載の固定システム（１０）。
【請求項５】
前記固定体（２０）は前記ボルト穴（３８，４０）に、円筒形の第１及び第２の座ぐり部（５８，６０）を備えている、請求項１から４までのいずれか１項記載の固定システム（１０）。
【請求項６】
前記座ぐり部（５８，６０）には、第３及び第４の円錐台形状の座ぐり部（６２，６４）が接続しており、第１及び第２のナット（２６，２８）が相応に成形されている、請求項５記載の固定システム（１０）。
【請求項７】
第１及び第２のシャフト（５０，５２）の自由な端面に、第１及び第２のポジションマーキング（６６，６８）が設けられている、請求項１から６までのいずれか１項記載の固定システム（１０）。
【請求項８】
前記ボルト穴（３８，４０）は、第１及び第２のポジションマーキング（６６，６８）に対応する第１及び第２のマーキング（７０，７２）を、第１及び第２のハンマヘッドボルト（２２，２４）の所望の設置を示すために有している、請求項７記載の固定システム（１０）。
【請求項９】
前記固定体（２０）は、アルミダイカスト品から成っている、請求項１から８までのいずれか１項記載の固定システム（１０）。
【請求項１０】
前記固定体（２０）は、プレート形状に、山形形状に、又は中空山形形状に形成されている、請求項１から９までのいずれか１項記載の固定システム（１０）。
【請求項１１】
前記固定体（２０）は、前記両方の異形材ロッド（１６，１８）の間における、０°〜１８０°の角度βである結合角度のためにも成形されている、請求項１０記載の固定システム（１０）。
【請求項１２】
当該固定システム（１０）の個別部材が予備組立てされている、請求項１から１１までのいずれか１項記載の固定システム（１０）。
【発明の詳細な説明】
【技術分野】
【０００１】
本発明は、それぞれ少なくとも１つの第１もしくは第２の溝を有する２つの第１及び第２の異形材ロッドを、互いに予め設定可能な角度で固定する固定システムであって、固定体を有していて、該固定体は組立て状態において、第１及び第２の溝に挿入された第１及び第２のハンマヘッドボルト及び第１及び第２のナットを用いて、第１及び第２の異形材ロッドに取り付けられている、固定システムに関する。
【０００２】
それぞれ少なくとも１つの第１もしくは第２の溝を有する２つの異形材ロッドを固定するための、このような固定システムもしくは結合システムは、基本的に公知である。
【０００３】
しかしながらこのような公知の固定システムでは、ハンマヘッドボルト又はナットが任意に回転してしまうという問題がある。これによってハンマヘッドボルト又はナットは、異形材ロッドにおける組立てのために、最初に溝方向に回転させられねばならない。さもないと、ハンマヘッドボルト又はナットは、相互の挿入動作をブロックすることになる。このことは特に、ハンマヘッドボルトが複数存在する場合に極めて時間が掛かる。
【０００４】
ゆえに本発明の課題は、冒頭に述べた形式の固定システムを改良して、技術的に簡単な手段で、溝へのハンマヘッドの用意かつ簡単な挿入を可能にし、かつ同時に組立て時間もしくは組立て手間を大幅に減じることができる固定システムを提供することである。
【０００５】
この課題を解決するために本発明の構成では、冒頭に述べた形式の固定システムにおいて、固定体は、嵌合キー状に第１及び第２の突出部を有していて、該第１及び第２の突出部は組立て状態において第１及び第２の溝開口に進入し、前記突出部はそれぞれ、少なくとも１つの第１及び第２のボルト穴を備えていて、該ボルト穴は人の口のように（maulartig）各１つの溝開口に進入しており、第１及び第２のハンマヘッドはそれぞれ、旋回運動を生ぜしめる自由形状ヘッドであり、該自由形状ヘッドは、組立て時に上から軽く押圧されて、単に、溝開口の互いに離れて位置する２つの第１及び第２の溝側面点に接触し、かつこれによって自動的に旋回して溝長手方向に方向付けられ、次いで溝内に進入し、このときハンマヘッドの表面の傾斜部が、溝側面点においてねじ込みモーメントを生ぜしめ、第１及び第２のシャフトが組立て状態において部分的に溝開口の内部に位置していて、各ハンマヘッドボルトは、ハンマヘッドとシャフトとの間に移行部に、互いにほぼ対角線方向に配置された第１及び第２の突起を有していて、該第１及び第２の突起は、組立て状態において、口状のボルト穴に回動を制限するように接触している。
【０００６】
本発明の核心は、下記の３つの主構成から成っている：
1.  結合エレメントは、溝に向いた側に一種の嵌合キーを有していて、この嵌合キーは口状にボルト穴の下に延びている。
2.  ハンマヘッドボルトはそのシャフトの下端部に、つまりヘッドの直ぐ上に、２つの小さな突起を有していて、これらの小さな突起は、結合エレメントの「開口」内に進入して、回転角制限体を形成する。これによって、有効範囲外におけるボルトの回動（接合のために０°、固定ポジションにおいて４５°）が阻止されている。
3.  第３の特徴として、ハンマヘッドボルトの自由形状ヘッドは旋回を有している。これによってハンマヘッドボルトは、（該ハンマヘッドが固定ポジションにおいて溝に衝突すると）自動的に溝方向に戻り回転する。これは、ハンマヘッドボルトが成形体の溝側面に、互いに離れて位置するただ２つのポイントだけで接触し、これらのポイントにおける表面の傾斜が、ねじ込みモーメントを生ぜしめる。
【０００７】
これらの組合せによって組立て作業員は、固定システムをパッケージから取り出して、対応する溝内への挿入のための簡単な操作で、ハンマヘッドボルトを固定体と結合させ、ボルトにさらなる注意を払うことなしに該ボルトを、結合される異形材に挿入することができる。
【０００８】
これによって、この結合技術は時間に関して極めて効果的であり、かつ一人組立て作業のために極めて適している。
【０００９】
本発明の別の態様では、口状のボルト穴はその長い方の開口が、突出部の長手方向に延びている。このように構成されていると、挿入されたハンマヘッドボルトを既に溝長手方向に、ある程度予め方向付けることができる。
【００１０】
この態様において、長い方の開口が、ボルト穴の中心を中心にした突起の回動を、突出部長手方向軸線の両側において、２２°〜２３°の角度βに、好ましくは２２.５°に制限すると、好適である。このような態様によって、ハンマヘッドの上記のような方向付けを特に簡単に行うことができる。
【００１１】
別の好適な態様では、口状のボルト穴は、２つの同心的な円弧によって制限される。
【００１２】
組立てが完成した固定システムにおいて、ナットヘッドがもはや固定体の表面から突出しないようにするために、好適な態様では、固定体はボルト穴に、円筒形の第１及び第２の座ぐり部を備えている。
【００１３】
固定体においてナットのさらに良好な摩擦面を得るために、本発明の別の態様では、座ぐり部に、第３及び第４の円錐台形状の座ぐり部が接続しており、第１及び第２のナットが相応に成形されている。このような円錐台形状の座ぐり部によって、ナットと固定体との互いに接触する部分の表面積が高められる。
【００１４】
組立てが終了したハンマヘッドボルトの適正な設置を検査するのに好適な態様では、第１及び第２のシャフトの自由な端面に、第１及び第２のポジションマーキングが設けられている。
【００１５】
このような態様をさらに好ましく改善する、別の態様では、ボルト穴は、第１及び第２のポジションマーキングに対応する第１及び第２のマーキングを、第１及び第２のハンマヘッドボルトの所望の設置を示すために有している。
【００１６】
もちろん固定体の形状は、実現可能な範囲内で任意であってよい。しかしながら固定体が、プレート形状に、山形形状に、又は中空山形形状に形成されていると好適である。
【００１７】
このときプレート形状の固定体は、アンダカットされた複数の溝を有する異形材では、異形材ロッドの、固定体を備えた表面において両側に配置することもできる。
【００１８】
しかしながらまた、同じ表面に山形形状のプレートを固定することも可能であり、このとき両側に各１つの山形形状のプレートを設けること、及びさらに追加的にいわゆる中空山形形状の固定ユニットをこれらのプレートの間において、この場合互いに垂直に位置する異形材ロッドに取り付けることも、組立て作業員の自由裁量である。
【００１９】
本発明の別の態様によれば、固定体は、両方の異形材ロッドの間における、０°〜１８０°範囲にある結合角度のためにも成形されている。このように構成されていると、固定される異形材ロッドの間におけるその都度所望の角度を保証することが可能である。しかしながら９０°及び４５°の角度が最も頻繁に現れる。
【００２０】
本発明の別の態様によれば、固定体は、アルミダイカスト品から成っている。
【００２１】
当該固定システムの個別部材が予備組立てされていると、特に有利であることが判明している。寸法正確な予備組立てによって、固定ナットの回動は、固定システムを組み立てるのにさらに最大に十分になる。
【００２２】
本発明の別の特徴及び利点は、複数の実施の形態に対する以下の記載及び図面に開示されている。
【００２３】
次に図面を参照しながら本発明の複数の実施の形態を説明する。
【図面の簡単な説明】
【００２４】
【図１】互いにＴ字形を成すように配置された２つの異形材ロッドの固定システムに対する第１の実施の形態を示す斜視図である。
【図２】図１に示した固定システムの個別部材を分解して示す斜視図である。
【図３】ハンマヘッドボルトのシャフトを収容するためのボルト穴を示す平面図である。
【図４】挿入されたハンマヘッドボルトと、ハンマヘッドボルトを互いに対角線方向に配置された２つの突起を用いて固定状態において回動不能に保持する突出部と、共に、ボルト穴を図３に似た図示で示す平面図である。
【図５】溝開口のための導入状態におけるハンマヘッドと共に、ボルト穴を図４に似た図示で示す平面図である。
【図６】ハンマヘッドボルトを示す斜視図であって、細く示した「輪郭」がハンマヘッド及び両方の突起の自由形状を示す斜視図である。
【図７】ハンマヘッドを下から見た図であって、この図においても細い線がヘッドの自由形状を示す図である。
【図８】異形材ロッドを省いて図２に示した実施の形態を示す側面図である。
【図９】図８に示した固定システムを異形材ロッドと共に示す平面図である。
【図１０】いわゆる中空山形材として形成された固定システムの別の実施の形態を示す図であって、相応のハンマヘッドが両方の脚において進出している状態を示す図である。
【図１１】脚に各２つの第１及び第２のハンマヘッドボルトを備えた別の実施の形態を、図１０によく似た図で示す図である。
【図１２】三角形の先端が除去されている、同様に各２つの第１及び第２のハンマヘッドボルトを備えた、別の実施の形態による山形の固定プレートを示す図である。
【００２５】
図１〜図１２を参照しながら、少なくとも各１つの第１もしくは第２の溝１２，１４を有する第１及び第２の２つの異形材ロッド１６，１８を固定するための固定材システム１０を固定するための複数の実施の形態について説明する。このとき別のことを言わない限り、同じ部材もしくは類似の部材に対しては、同じ符号が使用される。
【００２６】
図１、図２、図８及び図９に示した固定システム１０において、固定体２０は、第１の実施の形態の固定体である。固定システムの別の可能な実施の形態は、図１０〜図１２に示されている。
【００２７】
各固定体２０は嵌合キー状の第１及び第２の突出部３０，３２を有している。この第１及び第２の突出部３０，３２は、組立て状態において第１及び第２の溝開口３４，３６内に進入している。各突出部３０，３２はもしくは各固定体２０は突出部３０，３２に、第１及び第２のボルト穴３８，４０を有しており、この第１及び第２のボルト穴３８，４０は、ほぼ楕円形状であって、組立て状態において人の口のように（maulartig）に溝開口３４，３６内に進入している。このときもちろん、各ハンマヘッドボルト２２，２４が、第１及び第２のナット２６，２８を用いて固定体２０に固定されている。
【００２８】
第２の重要なポイントは次のことにある。すなわち第１及び第２のハンマヘッドボルト２２，２４はそれぞれ、第１及び第２のハンマヘッド４２，４４を備えており、これらのハンマヘッド４２，４４は、旋回運動を生ぜしめる自由形状ヘッドである。つまり組立て時に上から軽く押圧されて、相応に案内されたハンマヘッド４２，４４は、溝開口３４，３６の互いに離れて位置する２つの第１及び第２の溝側面点４６，４８に接触し、これによっていわば自動的に旋回して組立て時に溝長手方向において適正に方向付けられ、次いで溝１２，１４内に進入する。
【００２９】
このことは単に、ハンマヘッド４２，４４が、旋回運動をハンマヘッド４２，４４に伝えるように構成されている、いわゆる自由形状を有していることによって可能である。ハンマヘッド４２，４４が一定の形状ではないので、自由形状ヘッドという概念がハンマヘッドの輪郭に対する表現もしくは説明として使用される。
【００３０】
いわゆる自由形状がその作用を発揮することができるようにするために、各ハンマヘッドボルト２２，２４がハンマヘッド４２，４４とそれに続くシャフト５０，５２との間の移行部に第１及び第２の突起５４，５６を有していて、両方の突起５４，５６がそれぞれ互いに対角線方向で同一線上に配置されていることが、さらに重要である。
【００３１】
突起５４，５６は、ボルト穴３８，４０のそれぞれ延長された領域に係合し、これによってハンマヘッドボルト２２，２４全体の回転可能性をこの小さな扇形に制限する。
【００３２】
このときに許される回転可能性は、ボルト穴３８，４０の中心を中心として突起長手方向軸線の両側に約２２°〜２３°、好ましくは４５／２°、つまり２２.５°であることが望ましい。
【００３３】
これによってかつハンマヘッド４２，４４の自由形状の構成によって、第１及び第２の溝側面点４６，４８を、ハンマヘッド４２，４４の、互いに最も離れている点に接触させることができる。このポジションへ、ハンマヘッド４２，４４は旋回状の回転に基づいてもたらされ、そしてハンマヘッド４２，４４は極めて簡単に完全に溝１２，１４内に進入することができる。
【００３４】
自由形状ヘッド４２，４４は、図６及び図７において最も良く認識することができる。ここで付言しておくと、細く示された線は、確固たる輪郭ではなく、単に自由形状を示唆しているだけである。
【００３５】
第１及び第２のボルト穴３８，４０は、両ボルト穴３８，４０がそれぞれ異なった半径の２つの同心円によって画定され、開口形状の開口を形成するように成形されている。このことは特に図３に示されている。
【００３６】
ナット２６，２８がその固定後に固定ヘッド２０の表面から突出しないようにするために、第１及び第２の座ぐり部５８，６０が設けられている。
【００３７】
さらにナット２６，２８と固定体２０との間において大きな摩擦力を生ぜしめるために、第１及び第２の座ぐり部５８，６０はさらに第３及び第４の円錐台形状の座ぐり部６２，６４によって円錐形に先細に形成されている。
【００３８】
もちろんこのとき各ナット２６，２８もまた、円錐台形状の突出部を備えている。
【００３９】
さらにすべての実施の形態において共通のことであるが、第１及び第２のシャフト５０，５２の自由な端面には、第１及び第２のポジションマーキング６６，６８が設けられている。これらのポジションマーキング６６，６８は、図示の実施の形態では、シャフト５０，５２の端面における単純な刻み目から成っている。これらのポジションマーキング６６，６８の向きは、該ポジションマーキング６６，６８が固定体２０もしくは固定システム１０の固定された状態において溝長手方向に対してほぼ垂直に延びるように選択されている。
【００４０】
組立て作業員が特に図１の実施の形態において、ハンマヘッド４２，４４が固定ポジションに位置していることを確信できるようにするために、ボルト穴３８，４０に、第１及び第２のポジションマーキング６６，６８に対応する第１及び第２のマーキング７０，７２が配置されている。すべてのマーキングが合致していると、組立て作業員は、ハンマヘッド４２，４４がその固定ポジションに位置していることを確信することができる。
【００４１】
固定体２０は、図１に示すように直方体プレートのようなプレート形状に形成されていても、図１２の実施の形態におけるように直角二等辺三角形形状もしくは山形に形成されていても、又は図１０及び図１１に示すように中空山形に形成されていてもよい。さらに図１１及び図１２から分かるように、固定側毎に又は固定突起毎に、２つ以上のハンマヘッドを使用することも可能である。これによって高い安定性を得ることができる。
【００４２】
さらにまた、複数の固定体２０組み合わせることも可能である。例えば図１２に示した山形のプレート形状を、図１０及び図１１に示した２つの中空山形形状の固定体２０のうちの１つと一緒に使用することも可能である。このようにすると、固定力を大幅に高めることができる。
【００４３】
さらに、図面には示されていないが、２つの異形材ロッド１６，１８を種々異なった結合角度で固定することも可能である。このとき角度は、０°〜１８０°の間の角度範囲を使用することができるが、これらの極値０°及び１８０°は、場合によっては９０°及び４５°ほど頻繁ではない。
【００４４】
好ましくは、固定体２０はアルミダイカスト品から成っている。
【００４５】
本発明に係る固定システム１０では、個々の溝付ブロック又はハンマヘッドボルトを、手間を掛けて予め配置する必要がなく、かつ同様に適合するボルトを固定アングルの対応する開口と合致させる必要がないことに基づいて、本発明に係る固定システム１０を使用することは、組立て作業員にとって、既に大幅な時間の節約を意味するが、固定システム１０を予備組立てして形成できることが、特に好適である。この場合組立て作業員は、単に、固定システム１０をパッケージから取り出して、簡単な当て付けと小さな圧力で、溝に相応のハンマヘッドを据え付けて、回転させて対応するナットを引き締めるだけでよい。これによって確実な結合を極めて短い時間で保証することができる。
【符号の説明】
【００４６】
１０  固定システム
１２  第１の溝
１４  第２の溝
１６  第１の異形材ロッド
１８  第２の異形材ロッド
２０  固定体
２２  第１のハンマヘッドボルト
２４  第２のハンマヘッドボルト
２６  第１のナット
２８  第２のナット
３０  第１の突出部
３２  第２の突出部
３４  第１の溝開口
３６  第２の溝開口
３８  第１のボルト穴
４０  第２のボルト穴
４２  第１のハンマヘッド
４４  第２のハンマヘッド
４６  第１の溝側面点
４８  第２の溝側面点
５０  第１のシャフト
５２  第２のシャフト
５４  第１の突起
５６  第２の突起
５８  第１の座ぐり部
６０  第２の座ぐり部
６２  第３の座ぐり部
６４  第４の座ぐり部
６６  第１のポジションマーキング
６８  第２のポジションマーキング
７０  第１のマーキング
７２  第２のマーキング
【図１】
2015529310.tif 000003
【図２】
2015529310.tif 000004
【図３】
2015529310.tif 000005
【図４】
2015529310.tif 000006
【図５】
2015529310.tif 000007
【図６】
2015529310.tif 000008
【図７】
2015529310.tif 000009
【図８】
2015529310.tif 000010
【図９】
2015529310.tif 000011
【図１０】
2015529310.tif 000012
【図１１】
2015529310.tif 000013
【図１２】
2015529310.tif 000014
【国際調査報告】
2015529310.tif 000015
2015529310.tif 000016
2015529310.tif 000017
2015529310.tif 000018